(57)【要約】【課題】シューエッジ当接部領域の水流を制御し、しかもシューエッジ当接部領域にクラックが発生しないシュープレスベルトを提供する。【解決手段】本発明のシュープレスベルトは、補強基材のフェルト側に樹脂層が形成され、前記樹脂層に排水溝を設けてなるシュープレスベルトであって、前記シュープレスベルトは中央領域とシューエッジ当接部領域と端部領域とからなり、前記シューエッジ当接部領域にはたわみ部が設けられていることを特徴とする。【選択図】図１
2010018912.tif 000002
【特許請求の範囲】
【請求項１】
補強基材と、前記補強基材のフェルト側樹脂層と、前記補強基材のシュー側樹脂層とからなるシュープレスベルトであって、前記シュープレスベルトの幅方向は中央領域とシューエッジ当接部領域と端部領域とからなり、前記シューエッジ当接部領域にはたわみ部が設けられていることを特徴とするシュープレスベルト。
【請求項２】
前記たわみ部がフェルト側に向けて凸状に形成されており、しかもシューエッジに当接しないように、シュー側樹脂層表面に凹部が形成されていることを特徴とする請求項１に記載のシュープレスベルト。
【発明の詳細な説明】
【技術分野】
【０００１】
本発明は、製紙機械で使用されるカレンダーベルトやプレスベルト、湿紙搬送用ベルトなどの製紙機械用ベルト、特に製紙機械のプレス部において、湿紙およびフェルトからの搾水性を高めるために使用するシュープレスベルトに関する。
【背景技術】
【０００２】
製紙機械のプレス部で使用されるシュープレスベルトは、補強基材と、前記補強基材のフェルト側樹脂層とシュー側樹脂層とを持つベルトであって、前記フェルト側樹脂層の表面に搾水のための排水溝を形成しているものが主流となっている。例えば特開平１１−１２９７５号公報（特許文献１）には、ベルト本体のフェルト側樹脂層表面に排水溝が設けられ、抄巾外域の排水溝深さを抄巾内域の排水溝深さよりも浅くして、シューエッジに対向する部分（以下、シューエッジ当接部領域と言う）の排水溝の強度を増大させて、耐クラック性を改善できる提案がある。
また、ドイツ特許公報４４４５４７２A（特許文献２）には、ベルト本体のフェルト側樹脂層表面に排水溝が設けられ、シューエッジ当接部領域には排水溝が設けられないか或いは極めて浅く形成されてなるシュープレスベルトが提案されている。
更に、ドイツ特許公報１０２００４０２５９４２A（特許文献３）には、プレスロール外套の両端部において、シューエッジ当接部領域のフェルト側樹脂層厚みが中央領域樹脂層厚みより肉厚に形成されたものが提案されている。
【０００３】
しかし、シューエッジ当接部領域に浅く排水溝を設けたシュープレスベルトにおいては、シューエッジ当接部領域に掛かるせん断力や歪みが大きいために、排水溝がダメージを受けてクラックが発生することが知られている。
また、プレスロール外套の両端部において、シューエッジ当接部領域のフェルト側樹脂層厚みが中央領域樹脂層厚みより肉厚に形成されたものでも、製紙機械のプレス部においてシューエッジ当接部領域でシューエッジの内側に折り曲げられるから、それによるせん断力による歪みによって、シューエッジ当接部領域においてクラックの発生が見られる。
【特許文献１】特開平１１−１２９７５号公報
【特許文献２】ドイツ特許公報４４４５４７２A
【特許文献３】ドイツ特許公報１０２００４０２５９４２A
【発明の開示】
【発明が解決しようとする課題】
【０００４】
本発明は、シュープレスベルトのシューエッジ当接部領域の特性に注目したもので、該領域で湿紙およびフェルトから搾水された水流を制御し、しかもシューエッジ当接部領域に掛かるせん断力や歪みを分散してクラックが発生しないようにするため、シューエッジ当接部領域の構造を改善したものである。
【課題を解決するための手段】
【０００５】
上記の課題を達成するため、本発明は補強基材と、前記補強基材のフェルト側樹脂層と、前記補強基材のシュー側樹脂層とからなるシュープレスベルトであって、前記シュープレスベルトの幅方向は中央領域とシューエッジ当接部領域と端部領域とからなり、前記シューエッジ当接部領域にはたわみ部が設けられていることを特徴とする。
【０００６】
また、本発明は、前記たわみ部がフェルト側に向けて凸状に形成されており、しかもシューエッジに当接しないように、シュー側樹脂層表面に凹部が形成されていることを特徴とする。
【発明の効果】
【０００７】
本発明によれば、シューエッジ当接部領域にはたわみ部が設けられおり、シューエッジ当接部領域のたわみ部がフェルト側に向けて凸状に形成されているため、シューエッジ当接部領域に掛かるせん断力や歪みを分散することができるので、該領域に排水溝が形成されたとしても、クラックが発生することがない優れた効果を有する。更に前記たわみ部がシューエッジに当接しないように、シュー側樹脂層表面に凹部が形成されているから、シューエッジ当接部領域でシューエッジの内側に折り曲げられることが少なくなり、従ってシューエッジ当接部領域に掛かるせん断力や歪みはたわみ部によって分散・減衰させることができるから、より一層クラック発生を防止することができる。
【０００８】
以上、本発明について簡潔に説明した。更に、本発明を実施するための最良の形態を添付の図面を参照して詳細を説明する。
【発明を実施するための最良の形態】
【０００９】
以下、本発明に係る好適な実施形態を図面に基づいて詳細に説明する。
【００１０】
図１は本発明に係るシュープレスベルト１００の幅方向の断面図である。
【００１１】
本発明のシュープレスベルト１００は、補強基材１１と、前記補強基材１１のフェルト側樹脂層１２とシュー側樹脂層１３としてポリウレタンが積層された積層構造を有する。フェルト側樹脂層１２の表面には排水溝（図示せず）が設けられている。補強基材１１としては主として織布が用いられる。
【００１２】
補強基材１１にポリウレタンを積層するには、補強基材１１に硬化剤を含む液状のウレタンプレポリマーを塗布して補強基材１１に含浸し、積層しながら乾燥または加熱により硬化させて固体状のポリウレタンの積層構造を形成する。
【００１３】
図１に示されるように、シュープレスベルト１００は、補強基材１１とフェルト側樹脂層１２とシュー側樹脂層１３からなり、シュープレスベルト１００は幅方向において中央領域Ａとシューエッジ当接部領域Ｂと端部領域Ｃからなる。
【００１４】
補強基材１１は、シュープレスベルト１００に強度を付与するためのものであり、例えば耐摩耗性、耐疲労性、伸張特性および防汚性、等に優れたナイロン６、ナイロン６６、等の合成繊維、羊毛等の天然繊維、等を素材とした織布または糸材を織らずに重ね合わせたもの、或いはフィルム状にしたもの、等を適宜用いることができる。
【００１５】
フェルト側樹脂層１２には中央領域Ａに排水溝（図示せず）を形成して湿紙およびフェルトから搾水された水流を排出することができる。シューエッジ当接部領域Ｂと端部領域Ｃには排水溝を形成しない。しかしシューエッジ当接部領域Ｂには、中央領域Ａに形成した排水溝よりも浅い排水溝を形成してもよい。
【００１６】
図１では、シューエッジ当接部領域Ｂにたわみ部が形成され、該たわみ部はフェルト側に向けて凸状の形状Ｄと、シューエッジに当接しないように、シュー側樹脂の表面に凹部Ｅが形成されているもの、とからなる。
【００１７】
図２〜図３は本発明の実施形態を示すものであり、シュープレスベルト１００の一方の端部付近の概略を示す幅方向の断面図である。いずれもフェルト側樹脂層１２には中央領域Ａに排水溝（図示せず）を形成している。
【００１８】
図２は本発明のシュープレスベルト１００の一方の端部付近の概略を示す幅方向の断面図であり、シュープレスベルト１００とシュープレスエッジ２１との位置関係を示している。中央領域Ａはフラットであり、シュープレスの加圧面２０に当接している。
シューエッジ当接部領域Ｂにはたわみ部が設けられ、該たわみ部はフェルト側に向けて凸状の形状Ｄと、シューエッジ２１に当接しないように、シュー側樹脂表面に凹部Ｅが形成されている。本発明の凹部Ｅは好ましくは０．５ｍｍ〜５ｍｍの範囲で窪んでいるものである。
【００１９】
図３は本発明のシュープレスベルトが製紙機械のプレス部においてプレスされたときの、一方の端部付近の概略を示す幅方向の断面図である。プレス部において、フェルト側樹脂層１２は対向するプレスロール（図示せず）の押し圧のため、中央領域Ａとシューエッジ当接部領域Ｂはフラットに変形する。シューエッジ当接部領域Ｂはこの変形によって、凸状の形状Ｄの樹脂層がプレス圧によって押し縮められ、その分シュー側に向けて膨らむことができる。したがってシューエッジ２１の形状に追従した形状にシューエッジ当接部領域Ｂを変形させることができる。言い換えると、シューエッジ当接部領域Ｂのたわみ部は、シューエッジ２１の曲面形状に追従できる特徴を有している。よって、シューエッジ２１によるシューエッジ当接部領域Ｂに掛かるせん断力や歪みはたわみ部にて分散・減衰させることができるから、より一層クラック発生を防止することができる。
【００２０】
ここで本発明のシュープレスベルトの製造方法の一例について説明するが、本発明を制約するものではない。
まず本発明のシュープレスベルトと略同一の走行方向寸法を有する直径のマンドレルを用意する。該マンドレルは回転自在に構成される。そして本発明のシュープレスベルトのシューエッジ当接部領域に相当するマンドレルの位置に、帯状部材をマンドレル周方向に巻き回してエッジ当接部領域Ｂのたわみ部（凸状の形状Ｄとシュー側樹脂表面の凹部Ｅ）に相当する部分を形成する。巻き回した帯状部材の厚みは０．５ｍｍ〜５ｍｍの範囲になるように調整する。この厚みはシューエッジ２１に当接しないように、シューエッジ当接部領域Ｂに０．５ｍｍ〜５ｍｍの範囲の凹部に相当するものとなる。
次に、前記マンドレルの上面にポリウレタンをノズルから塗布して、ポリウレタンの肉厚が一定となるシュー側樹脂層を形成する。該シュー側樹脂層を放置または加熱により半硬化させた後、前記シュー側樹脂層の上面に基体、好ましくは織物をマンドレルの全体を覆うように被せる。
引続きその上面にポリウレタンをノズルから塗布して、ポリウレタンの肉厚が一定となるフェルト側樹脂層を形成する。該フェルト側樹脂層を加熱により硬化させた後、前記フェルト側樹脂層の表面に排水溝を形成して、本発明のシュープレスベルトが完成する。
【００２１】
上記の説明のとおり、本発明のシュープレスベルト１００は補強基材１１のフェルト側に樹脂層１２が形成され、前記樹脂層に排水溝を設けてなるシュープレスベルトであって、前記シュープレスベルト１００の幅方向は中央領域Ａとシューエッジ当接部領域Ｂと端部領域Ｃとからなり、前記シューエッジ当接部領域Ｂにはたわみ部が設けられていることを特徴とする。
また、本発明のたわみ部はフェルト側に向けて凸状の曲線Ｄと、シューエッジ２１に当接しないように、シュー側樹脂表面に対して、１ｍｍ〜５ｍｍの範囲で凹部Ｅを形成していることを特徴とする。
【図面の簡単な説明】
【００２２】
【図１】本発明のシュープレスベルトの概略を示す幅方向の断面図である。
【図２】本発明のシュープレスベルトの一方の端部付近の幅方向の断面図である。
【図３】本発明のシュープレスベルトがプレスされたときの一方の端部付近の幅方向の断面図である。
【符号の説明】
【００２３】
１００：シュープレスベルト
１１：補強基材
１２：フェルト側樹脂層  
１３：シュー側樹脂層  
２０：シュープレスの加圧面
２１：シューエッジ
Ａ：中央領域
Ｂ：シューエッジ当接部領域
Ｃ：端部領域
Ｄ：凸状の形状
Ｅ：シュー側樹脂表面の凹部
【図１】
2010018912.tif 000003
【図２】
2010018912.tif 000004
【図３】
2010018912.tif 000005